(57)【要約】【課題】木製のカウンターを使った場合であっても、カウンターやキャビネットの腐敗を防止することのできるキッチンキャビネットを提供する。【解決手段】平坦な上面２ａを有した木製のカウンター２と、カウンター２の下面２ｂに接するように設けられたキャビネット３と、を備え、水切り部４がキャビネット３の前側縁部に沿うようにカウンター２の下面２ｂに設けられると共にカウンター２の前端面２ｃとキャビネット３の前面の間に位置し、水切り部４が溝形状であり、カウンター２の表面に耐水加工を施した。【選択図】図２
2007289367.tif 000002
【特許請求の範囲】
【請求項１】
平坦な上面を有した木製のカウンターと、カウンターの下面に接するように設けられたキャビネットと、を備え、水切り部がキャビネットの前側縁部に沿うようにカウンターの下面に設けられると共にカウンターの前端面とキャビネットの前側縁部の間に位置していることを特徴とするキッチンキャビネット。
【請求項２】
水切り部が溝形状であることを特徴とする請求項１記載のキッチンキャビネット。
【請求項３】
カウンターの表面に耐水加工を施し、水切り部の表面に耐水部材を設けたことを特徴とする請求項１又は２記載のキッチンキャビネット。
【発明の詳細な説明】
【技術分野】
【０００１】
本願発明は、木製のカウンターと、キャビネットと、を備えたキッチンキャビネットに関するものである。
【背景技術】
【０００２】
従来から、実開平５−１３２４号公報（特許文献１）に示されるようなカウンターは知られている。このカウンターは図７に示すように、上面２０ａの前端付近に凸部２０ｂが形成され、凸部２０ｂを除いた部分は平坦に形成されている。これにより、水などがカウンター２０にこぼれても凸部２０ｂが水などをせき止め、カウンター２０から外に水などをこぼさないようにすることができた。
【０００３】
そして、この種のカウンター２０は、人工大理石やステンレス等の耐水性のあるものが素材として使われている。これにより、水などがカウンター２０上に溜まったとしてもカウンター２０が腐敗することを防ぐことができた。
【特許文献１】実開平５−１３２４号公報
【発明の開示】
【発明が解決しようとする課題】
【０００４】
しかしながら、実開平５−１３２４号公報に示される上記従来例のカウンター２０にあっては、素材として木材を使った場合、水が溜まって腐敗する恐れがある。よって、前端付近に凸部２０ｂを形成することはできない。しかし、そうするとカウンター２０から外に水がこぼれることとなる。この結果、カウンター２０の前端面と下面とを伝って水がキャビネット等２１を濡らすこととなり、腐敗をさせる恐れがある。
【０００５】
本願発明は上記背景技術に鑑みて発明されたものであり、その課題は、木製のカウンターを使った場合であっても、カウンターやキャビネットの腐敗を防止することのできるキッチンキャビネットを提供することである。
【課題を解決するための手段】
【０００６】
上記課題を解決するために、本願請求項１記載の発明では、平坦な上面を有した木製のカウンターと、カウンターの下面に接するように設けられたキャビネットと、を備え、水切り部がキャビネットの前側縁部に沿うようにカウンターの下面に設けられると共にカウンターの前端面とキャビネットの前側縁部の間に位置していることを特徴としている。
【０００７】
又、本願請求項２記載の発明では、上記請求項１記載のキッチンキャビネットにおいて、水切り部が溝形状であることを特徴としている。
【０００８】
又、本願請求項３記載の発明では、上記請求項１又は２記載のキッチンキャビネットにおいて、カウンターの表面に耐水加工を施し、水切り部の表面に耐水部材を設けたことを特徴としている。
【発明の効果】
【０００９】
本願請求項１記載の発明のキッチンキャビネットにおいては、カウンターの上面が平坦であるので、カウンターに水がこぼれても上面に水が溜まって腐敗することはない。又、水切り部がキャビネットの前側縁部に沿うようにカウンターの下面に設けられると共にカウンターの前端面とキャビネットの前側縁部の間に位置しているので、水がカウンターの前端面と下面とを伝ってきても、水切り部によって水が伝わるのが遮られ、キャビネットに水がしみ込んで膨らんでしまったり、腐敗したりすることはない。
【００１０】
本願請求項２記載の発明のキッチンキャビネットにおいては、特に、水切り部が溝形状であるので、外観を損なう事無く水切り部を設けることができる。
【００１１】
本願請求項３記載の発明のキッチンキャビネットにおいては、特に、カウンターの表面に耐水加工を施し、水切り部の表面に耐水部材を設けているので、木材のカウンターが耐水性を有することとなり、更に水などによる腐敗を防ぐことができる。
【発明を実施するための最良の形態】
【００１２】
以下、本願発明を添付図面に示す実施形態に基づいて説明する。
【００１３】
図１、２は、本願請求項１、２に対応した第一の実施形態であるキッチンキャビネット１を示している。
【００１４】
このキッチンキャビネット１は、図２に示すように、平坦な上面２ａを有した木製のカウンター２と、カウンター２の下面２ｂに接するように設けられた木製のキャビネット３と、を備え、水切り部４がキャビネット３の前側縁部に沿うようにカウンター２の下面２ｂに設けられると共にカウンター２の前端面２ｃとキャビネット３の前側縁部の間に位置している。この水切り部４は溝形状であり、カウンター２の表面及び水切り部４の表面には耐水加工を施している。
【００１５】
以下、この実施形態のキッチンキャビネット１をより具体的詳細に説明する。
【００１６】
本実施形態のキッチンキャビネット１は図１に示すように、厨房装置５の一部として設けられている。この厨房装置５は左右方向に長い直方体状であり、シンク６とＩＨクッキングヒータ７とが設けられ、これらの間にキッチンキャビネット１は位置している。
【００１７】
キッチンキャビネット１は、作業台として用いるカウンター２と、台所用品等を収納するためのキャビネット３と、からなる。
【００１８】
カウンター２は厨房装置５の天板であり、左右方向に長く形成されている。カウンター２の上面２ａは水などが溜まらない様にするために平坦に形成されている。前端面２ｃも角を除いて平坦に形成されている。下面２ｂも水切り部４を除いて平坦に形成されている。
【００１９】
キャビネット３は、台所用品等を出し入れするための前面開口部３ａと、前面開口部３ａを囲むと共にカウンター２の下面２ｂに接する枠部３ｂと、前面開口部３ａを塞ぐと共に枠部３ｂより前側に位置する前面板３ｃと、枠部３ｂに設けられると共に枠部３ｂと前面板３ｃとの間に位置する戸当たり部３ｄと、を備える。前面板３ｃは開閉自在に前面開口部３ａを塞ぐことのできる、扉や引出しの前面板等である。又、戸当たり部３ｄは前面板３ｃが枠部３ｂに当たる際の衝撃を和らげると共に水などの浸入を防ぐ役目を有するパッキン等である。
【００２０】
水切り部４はコの字型の溝であり、カウンター２の前端面２ｃとキャビネット３の前面板３ｃの前面との間に位置し、キャビネット３の前面板３ｃの前側縁部に沿うようにカウンター２の下面２ｂに全長に渡って設けられている。
【００２１】
カウンター２及びキャビネット３はそれぞれ耐水性のある化粧板からなるが、この化粧板について以下に説明する。
【００２２】
図３はカウンター２及びキャビネット３に用いる化粧板８の一例を示している。この化粧板８は図３のように単板９の下部に基材１０が配設されている。この単板９には浸透型疎水樹脂が含浸されており、この浸透型疎水樹脂が単板９内部で硬化している。さらに、この単板９はその表面側から浸透型ＵＶ（紫外線）硬化型樹脂が塗布含浸されており、ＵＶ照射によって硬化した浸透型ＵＶ硬化型樹脂の硬化層Ａが単板９の上部に形成されている。なお、この硬化層Ａは、浸透型ＵＶ硬化型樹脂の塗布含浸により単板９に浸透して硬化した浸透型ＵＶ硬化型樹脂の層はもちろん、塗布により単板９の表面で硬化して形成された浸透型ＵＶ硬化型樹脂の塗膜の層をも含んでいる。このように、浸透型疎水樹脂が単板９に含浸されて硬化していることで単板９を補強している。
【００２３】
そして、単板９の上部に形成されている浸透型ＵＶ硬化型樹脂の硬化層Ａが傷ついて欠損してしまった場合でも、浸透型疎水樹脂の働きによって水の浸入を防止することができる。この浸透型疎水樹脂は、低分子量であって、単板９に浸透し疎水性を発揮できる樹脂であり、たとえば、油変性したポリオール、シリコーン変性したポリオールなどを挙げることができる。特に油変性したポリオールは、単板９への浸透性が高く、油変性の部位である長鎖アルキル基によって疎水効果をより発揮することができるので好ましい。浸透型疎水樹脂の分子量としては、１００〜１０００程度が好ましい範囲として挙げることができる。１００未満の場合には、単板９に浸透してもその後でネットワークを作りにくく、十分な物性を発揮することができない場合があるので好ましくない。１０００を超える場合には、単板９に浸透しにくくなる場合があるので好ましくない。さらに、イソシアネートを組み合わせて用いてもよい。これによって単板９の木材成分のセルロースが持つ水酸基とも結びつき密着性を向上させることができる。この場合の浸透型疎水樹脂とイソシアネートの配合比率は、重量比で１／１〜４／１（浸透型疎水樹脂／イソシアネート）程度であることが考慮される。イソシアネートの配合量が少なすぎる場合には、反応に時間がかかるため好ましくない。配合量が多すぎる場合には、架橋度密度が上がりすぎて密着性を阻害する場合があるので好ましくない。イソシアネートの種類としては、トリレンジイソシアネート（ＴＤＩ）系、ジフェニルメタンジイソシアネート（ＭＤＩ）系、ヘキサメチレンジイソシアネート（ＨＤＩ）系などを例示することができる。なかでも、建材用途で問題となる紫外線による黄変を防ぐためにＨＤＩ系を用いることが好ましい。
【００２４】
浸透型ＵＶ硬化型樹脂は、低分子量であって、単板９に浸透し易く紫外線照射によって硬化する光硬化型樹脂であり、たとえば、ポリエステル系、ポリエーテル系、ウレタン系あるいはエポキシ系などの各種のアクリレートが挙げられる。特に、硬化後の表面硬度、入手のし易さや取り扱い性などを考慮するとポリエステル系アクリレートを用いることが好適である。浸透型ＵＶ硬化型樹脂の分子量としては、１００〜１０００程度が好ましい範囲として挙げることができる。１００未満の場合には、単板９に浸透してもその後でネットワークを作りにくく、十分な物性を発揮することができない場合があるので好ましくない。１０００を超える場合には、単板９に浸透しにくくなる場合があるので好ましくない。さらに、イソシアネートを組み合わせて用いてもよい。これによって単板９との密着性を向上させることができる。この場合の浸透型ＵＶ硬化型樹脂とイソシアネートの配合比率は、重量比で２／１〜１０／１（浸透型ＵＶ硬化型樹脂／イソシアネート）程度であることが考慮される。イソシアネートの配合量が少なすぎる場合には、浸透型ＵＶ硬化型樹脂の架橋密度が上がりすぎて塗膜の密着性や靭性が失われてしまい、衝撃による塗膜割れ、剥離が発生する場合があるため好ましくない。配合量が多すぎる場合には、塗膜が柔らかくなり、十分な硬さを得ることができない場合があるため好ましくない。イソシアネートの種類としては、トリレンジイソシアネート（ＴＤＩ）系、ジフェニルメタンジイソシアネート（ＭＤＩ）系、ヘキサメチレンジイソシアネート（ＨＤＩ）系などを例示することができる。なかでも、建材用途で問題となる紫外線による黄変を防ぐためにＨＤＩ系を用いることが好ましい。
【００２５】
以上の浸透型疎水樹脂および浸透型ＵＶ硬化型樹脂の単板９への含浸は、たとえば、スプレーコーターやロールコーターなどの現行の塗装設備を活用して塗布することで実現することができる。
【００２６】
また、単板９の表面に化粧塗装が施されていてもよい。化粧塗装は、一般的な板材に用いられる上塗り用塗料で施せばよく、たとえば、上塗り用ウレタン塗料などを例示することができる。この化粧塗装は、単板９表面の木質感を損なうことなく保持することができる。
【００２７】
基材１０は、化粧板８の主要部分を構成しているもので、合板あるいはゴム集成材などであってよいが、合板がより好ましい。さらに、図４では基材１０の周囲に単板９を配設している。基材１０の周囲に配設された単板９は、上述した単板９と同様に浸透型疎水樹脂および浸透型ＵＶ硬化型樹脂が含浸されていてもよいし、あるいは化粧塗装が施されていてもよい。
【００２８】
図５は本願発明の化粧板８の別例である。図５（ａ）では、単板９と基材１０の間に熱硬化性樹脂含浸シート１１が配設されている。
【００２９】
熱硬化性樹脂含浸シート１１は、紙、織布、不織布などのシート基材に熱硬化性樹脂のワニスを含浸させて半硬化状態にしたものであり、このものをあらかじめ硬化させ、接着剤を用いて単板９と基材１０とを貼り合わせてもよい。あるいは、半硬化状態のまま、基材１０、熱硬化性樹脂含浸シート１１、単板９と順に積層してこれを加熱加圧して貼り合わせてもよい。この場合には、接着剤塗布などの前処理を行うことなく硬化と接着を同時に行うことができるため、簡便に製造することができる。さらに、加熱加圧時には、熱硬化性樹脂が溶融して単板９と基材１０に浸透して硬化することになるため、より強固に接着することになる。
【００３０】
上記熱硬化性樹脂含浸シート１１が硬化されて配設されていることにより、局所的な加重を支持し、加重に対する凹みを小さくすることができるなど化粧板８の表面硬度をさらに高め、強化することができる。この硬化した熱硬化性樹脂含浸シート１１は、水分に対して寸法安定性がよく、含水率変化による膨潤・収縮が抑制される。さらに、図５（ｂ）のように基材１０の周囲に熱硬化性樹脂含浸シート１１を配設してもよい。この場合には、化粧板８の反りの発生を抑制することができる。また、図５（ｂ）の例では、図４と同様に、基材１０の周囲には単板９が配設されている。
【００３１】
以上の熱硬化性樹脂含浸シート１１の熱硬化性樹脂としては、たとえば、ジアリルフタレート樹脂、エポキシ樹脂、メラミン樹脂、尿素樹脂、フェノール樹脂、不飽和ポリエステル樹脂などを挙げることができる。なかでも、安全性やコストを考慮するとジアリルフタレート樹脂が好ましく用いられる。
【００３２】
したがって、この実施形態のキッチンキャビネット１においては、カウンター２の上面２ａが平坦であるので、カウンター２に水がこぼれても上面２ａに水が溜まって腐敗することはない。又、溝形状の水切り部４がキャビネット３の前面板３ｃの前側縁部に沿うようにカウンター２の下面２ｂに全長に渡って設けられると共にカウンター２の前端面２ｃとキャビネット３の前側縁部の間に位置しているので、水がカウンター２の前端面２ｃと下面２ｂとを伝ってきても、水切り部４によって水が伝わるのが遮られ、キャビネット３に水がしみ込んで膨らんでしまったり、腐敗したりすることはない。
【００３３】
又、水切り部４がコの字状の溝であるので、外観を損なう事無く水切り部４を設けることができる。
【００３４】
又、カウンター２の表面に耐水加工を施しているので、木製のカウンター２が耐水性を有することとなり、より水などによる腐敗を防ぐことができる。
【００３５】
図６は、本願請求項１〜３に対応した第二の実施形態であるキッチンキャビネットを示している。
【００３６】
なお、ここでは、上記第一の実施形態と相違する事項についてのみ説明し、その他の事項（構成、作用効果等）については、上記第一の実施形態と同様であるのでその説明を省略する。
【００３７】
このキッチンキャビネットのコの字状の溝である水切り部４の表面には耐水部材１２が設けられている。この耐水部材１２はアルミ押し出し材又は樹脂押し出し材等であり、水切り部４に対して変成シリコンを用いて接着されている。
【００３８】
したがって、この実施形態のキッチンキャビネットにおいては、水切り部４の耐水性がより増すこととなり、水切り部４に水がしみ込むことによる腐敗を更に防ぐことができる。
【図面の簡単な説明】
【００３９】
【図１】本願発明の第一の実施形態であるキッチンキャビネットが設けられた厨房装置を示す平面図。
【図２】同キッチンキャビネットを示す図１でのＡ−Ａ要部断面図。
【図３】同キッチンキャビネットに用いられる化粧板の一例を示す断面図。
【図４】同キッチンキャビネットに用いられる化粧板の別例を示す断面図。
【図５】（ａ）は同キッチンキャビネットに用いられる熱硬化性樹脂含浸シートを用いた化粧板の一例を示す断面図、（ｂ）は同キッチンキャビネットに用いられる熱硬化性樹脂含浸シートを用いた化粧板の別例を示す断面図。
【図６】本願発明の第二の実施形態であるキッチンキャビネットを示す要部断面図。
【図７】従来例であるカウンターを示す断面図。
【符号の説明】
【００４０】
１  キッチンキャビネット
２  カウンター
２ａ  カウンターの上面
２ｂ  カウンターの下面
２ｃ  カウンターの前端面
３  キャビネット
３ａ  前面開口部
３ｂ  枠部
３ｃ  前面板
３ｄ  戸当たり部
４  水切り部
５  厨房装置
６  シンク
７  ＩＨクッキングヒータ
８  化粧板
９  単板
１０  基材
１１  熱硬化性樹脂含浸シート
１２  耐水部材
【図１】
2007289367.tif 000003
【図２】
2007289367.tif 000004
【図３】
2007289367.tif 000005
【図４】
2007289367.tif 000006
【図５】
2007289367.tif 000007
【図６】
2007289367.tif 000008
【図７】
2007289367.tif 000009